(57)【要約】【課題】安全隔絶、補助加熱昇温効果を持つ二層保温抜火罐の提供。【解決手段】本考案の二層保温抜火罐100は、第一罐体10及び第二罐体20を含み、第一罐体10は中空状導熱体であり、その上端には接触部12を設け、底端には吸引口11を設け、その吸引口11は瞬時に加熱、熱気吸引力を発生して人体ツボを吸引、第二罐体20は中空状導熱体であり、その底端には連結部21を設け、連結部21と第一罐体10上端の接触部12は連結しており、第二罐体20上端には第二罐体口22を設け、且つ第二罐体20内部には罐体内部23を形成、第二罐体口22から加熱体もしくは加熱部品500を罐体内部23内に入れると、第二罐体20内の加熱体もしくは加熱部品500は熱エネルギーを発生して第一罐体10に伝導し、第一罐体10は補助加熱を行うことにより、第一罐体10は人体ツボの吸引を更に安定、持続、昇温させることができ、よって、補助加熱効果のある二層保温抜火罐100構造が構成される。【選択図】図１
0003130928.tif 000002
【実用新案登録請求の範囲】
【請求項１】
二層保温抜火罐において、それは、
中空状導熱体であり、底端に形成した吸引口によって人体ツボを加熱吸引、上端には接触部を設ける第一罐体と、
中空状導熱体であり、底端には連結部を設け、その連結部と前記第一罐体上端の接触部は連結しており、上端には第二罐体口を内部には罐体内部を形成、その第二罐体口と罐体内部は繋がっている第二罐体とを含むことを特徴とする二層保温抜火罐。
【請求項２】
請求項１記載の二層保温抜火罐において、前記第一罐体は中空金属罐であることを特徴とする二層保温抜火罐。
【請求項３】
請求項１記載の二層保温抜火罐において、前記第一罐体は中空の陶器罐であることを特徴とする二層保温抜火罐。
【請求項４】
請求項１記載の二層保温抜火罐において、前記第一罐体の外部には把手を連結することを特徴とする二層保温抜火罐。
【請求項５】
請求項１記載の二層保温抜火罐において、前記第一罐体の形状はカップ状であることを特徴とする二層保温抜火罐。
【請求項６】
請求項１記載の二層保温抜火罐において、前記第一罐体外部と第二罐体外部間には柄を連結することを特徴とする二層保温抜火罐。
【請求項７】
請求項１記載の二層保温抜火罐において、前記第二罐体は中空金属罐であることを特徴とする二層保温抜火罐。
【請求項８】
請求項１記載の二層保温抜火罐において、前記第二罐体は中空陶器罐であることを特徴とする二層保温抜火罐。
【請求項９】
請求項１記載の二層保温抜火罐において、前記第二罐体の形状はカップ状であることを特徴とする二層保温抜火罐。
【請求項１０】
請求項１記載の二層保温抜火罐において、前記第二罐体の第二罐体口にはフタを結合することを特徴とする二層保温抜火罐。
【請求項１１】
請求項１記載の二層保温抜火罐において、前記第二罐体の罐体内部内には若干の加熱体を入れることを特徴とする二層保温抜火罐。
【請求項１２】
請求項１１記載の二層保温抜火罐において、前記加熱体は加熱後の木炭であることを特徴とする二層保温抜火罐。
【請求項１３】
請求項１１記載の二層保温抜火罐において、前記加熱体は加熱後のアルコールコットンであることを特徴とする二層保温抜火罐。
【請求項１４】
請求項１１記載の二層保温抜火罐において、前記加熱体は加熱後の鉄砂であることを特徴とする二層保温抜火罐。
【請求項１５】
請求項１１記載の二層保温抜火罐において、前記加熱体は加熱後の雨花石であることを特徴とする二層保温抜火罐。
【請求項１６】
請求項１記載の二層保温抜火罐において、前記第二罐体の罐体内部には加熱部品を入れることを特徴とする二層保温抜火罐。
【請求項１７】
請求項１６記載の二層保温抜火罐において、前記加熱部品は電熱器であることを特徴とする二層保温抜火罐。
【考案の詳細な説明】
【技術分野】
【０００１】
本考案は、二層保温抜火罐に関するものであり、特に人体ツボを吸引する抜火罐に用い、上端に加熱体や加熱部品を入れて、二層で補助加熱昇温を行う二層保温抜火罐構造を提案するものである。
【背景技術】
【０００２】
「拔火罐」とよばれるカッピングー吸玉療法は、鍼灸の治療中に人体ツボを吸引して行うツボ刺激治療に広く応用するものであり、特に、公知の抜火罐は、アルコールランプを罐口で瞬間加熱する等の加熱源によって熱空気吸引効果を起こし、人体各部位のツボを吸引してツボや神経を刺激、人体の血液循環をスムーズにして筋骨の疲労や痛みを取り除き、疾病症状を軽くするものである。
しかしながら、公知の抜火罐は、人体ツボを吸引した後、熱空気の吸引圧力によってツボを刺激するのみであり、外界環境の要因もしくは気密圧力の大きさに問題があると、熱空気温度は迅速に降下し、抜火罐のツボ吸引時間の短縮と吸引力不足により、良好なツボ刺激効果が得られないこともある。
上記欠点の改良の中には、例えば、真空吸引する圧力抜火罐によって抜罐を行うものもあるが、真空気圧吸引によると、吸引時間を延ばせてもツボに対する加熱刺激を行っていない故、ツボ内の血液循環を刺激する点については実質的なメリットがなく、且つ、抜火罐上端には複雑な気密バルブを設計しなければならず、構造を更に複雑化し操作が難しく、抜火罐の製造コストも向上する。
【０００３】
関連する公知の特許文献においては、特許文献１は真空方式による人体ツボ吸引の抜火罐構造が公開されているが、やはり上述したとおり、加熱昇温が不可能な点と複雑な構造の問題点及び欠点が残る。
また、特許文献２は、ガスエネルギー源によって点火昇温を行う真空吸引方式を開示しているが、ガス点火方式およびエネルギー源操作は、爆発危険があり人体の安全性を直接的に損ない、ガスを閉じて漏れを制御するバルブの設計が必要である故、その抜火罐の構造には、複雑、危険、操作困難という欠点が残る。
【０００４】
【特許文献１】台湾特許公報第115407号明細書
【特許文献２】台湾特許公報第208803号明細書
【考案の開示】
【考案が解決しようとする課題】
【０００５】
本考案は、第二罐体底端を第一罐体の上端に連結し、その第一罐体によって人体ツボを吸引、また第一罐体上端と底端を連結した第二罐体内は加熱体もしくは加熱部品を入れる為のものであり、その補助加熱熱源を第二罐体に伝導し、更に第二罐体はその熱エネルギーを第一罐体部品内に伝導して加熱昇温をする、二層保温抜火罐の提供を最も主な目的とする。
【０００６】
第一罐体の上端には接触部を設け、第二罐体の底端には連結部を設け、その接触部と連結部は連結している故、第二罐体と第一罐体は安全隔絶かつ良好な熱量伝導の熱伝導構造を形成し、よって、第二罐体は補助熱源を第一罐体中に安全に伝導し加熱する、二層保温抜火罐の提供を次の目的とする。
【０００７】
上述目的を達成する為に、本考案の二層保温抜火罐は、第一罐体及び第二罐体を含み、第一罐体は中空状導熱体であり、第一罐体の上端には接触部を設け、第一罐体の底端には吸引口を設け、その吸引口は瞬時に加熱、熱気吸引力を発生して人体ツボを吸引、第二罐体は中空状導熱体であり、その底端に設けた連結部と第一罐体上端の接触部は連結しており、第二罐体上端には第二罐体口を設け、且つ第二罐体内部には罐体内部を形成、第二罐体口から加熱体もしくは加熱部品を罐体内部内に入れると、第二罐体内の加熱体もしくは加熱部品は熱エネルギーを発生して第一罐体に伝導し、第一罐体は補助加熱されることにより、第一罐体は人体ツボの吸引を更に安定、持続、昇温させることができ、よって、本考案の二層保温抜火罐は安全隔絶、補助加熱昇温効果を発揮する。
【課題を解決するための手段】
【０００８】
請求項１の考案は、二層保温抜火罐において、それは、
中空状導熱体であり、底端に形成した吸引口によって人体ツボを加熱吸引、上端には接触部を設ける第一罐体と、
中空状導熱体であり、底端には連結部を設け、その連結部と前記第一罐体上端の接触部は連結しており、上端には第二罐体口を内部には罐体内部を形成、その第二罐体口と罐体内部は繋がっている第二罐体とを含むことを特徴とする二層保温抜火罐としている。
請求項２の考案は、請求項１記載の二層保温抜火罐において、前記第一罐体は中空金属罐であることを特徴とする二層保温抜火罐としている。
請求項３の考案は、請求項１記載の二層保温抜火罐において、前記第一罐体は中空の陶器罐であることを特徴とする二層保温抜火罐としている。
請求項４の考案は、請求項１記載の二層保温抜火罐において、前記第一罐体の外部には把手を連結することを特徴とする二層保温抜火罐としている。
請求項５の考案は、請求項１記載の二層保温抜火罐において、前記第一罐体の形状はカップ状であることを特徴とする二層保温抜火罐としている。
請求項６の考案は、請求項１記載の二層保温抜火罐において、前記第一罐体外部と第二罐体外部間には柄を連結することを特徴とする二層保温抜火罐としている。
請求項７の考案は、請求項１記載の二層保温抜火罐において、前記第二罐体は中空金属罐であることを特徴とする二層保温抜火罐としている。
請求項８の考案は、請求項１記載の二層保温抜火罐において、前記第二罐体は中空陶器罐であることを特徴とする二層保温抜火罐としている。
請求項９の考案は、請求項１記載の二層保温抜火罐において、前記第二罐体の形状はカップ状であることを特徴とする二層保温抜火罐としている。
請求項１０の考案は、請求項１記載の二層保温抜火罐において、前記第二罐体の第二罐体口にはフタを結合することを特徴とする二層保温抜火罐としている。
【０００９】
請求項１１の考案は、請求項１記載の二層保温抜火罐において、前記第二罐体の罐体内部内には若干の加熱体を入れることを特徴とする二層保温抜火罐としている。
請求項１２の考案は、請求項１１記載の二層保温抜火罐において、前記加熱体は加熱後の木炭であることを特徴とする二層保温抜火罐としている。
請求項１３の考案は、請求項１１記載の二層保温抜火罐において、前記加熱体は加熱後のアルコールコットンであることを特徴とする二層保温抜火罐としている。
請求項１４の考案は、請求項１１記載の二層保温抜火罐において、前記加熱体は加熱後の鉄砂であることを特徴とする二層保温抜火罐としている。
請求項１５の考案は、請求項１１記載の二層保温抜火罐において、前記加熱体は加熱後の雨花石であることを特徴とする二層保温抜火罐としている。
請求項１６の考案は、請求項１記載の二層保温抜火罐において、前記第二罐体の罐体内部には加熱部品を入れることを特徴とする二層保温抜火罐としている。
請求項１７の考案は、請求項１６記載の二層保温抜火罐において、前記加熱部品は電熱器であることを特徴とする二層保温抜火罐としている。
【考案の効果】
【００１０】
本考案の二層保温抜火罐は、安全隔絶、補助加熱昇温効果を持つことを特徴とする。
【考案を実施するための最良の形態】
【００１１】
まず、図１及び図2に示すとおり、本考案の二層保温抜火罐100の第一実施例において、二層保温抜火罐100は、第一罐体10及び第二罐体20を含み、第一罐体10は、例えば中空状導熱性のある金属罐や陶器罐のような中空状導熱体であり、第一罐体10の底端に形成した吸引口11は外部熱源の為のものであり、例えばアルコールランプを瞬間加熱させた後に起きる熱空気吸引によって人体ツボを吸引する等して、第一罐体10は人体ツボを吸引し、また、第一罐体10の上端には接触部12を設け、第一罐体10外部には最低一つの手持ち操作を行う為の把手13を設ける。
上述した第二罐体20は、例えば中空状導熱性の金属罐や陶器罐等の中空状導熱体であり、第二罐体20の底端には連結部21を設け、その連結部21と上述第一罐体10の接触部12が連結している故、第一罐体10と第二罐体20間には良好な熱伝導連結構造が形成され、また、連結部21と接触部12間の連結方式には制限を設けず、例えばハンダ接合や接着接合によって相互結合するものとし、第二罐体20上部には第二罐体口22を設け、第二罐体20内部には罐体内部23を形成、その第二罐体口22と罐体内部23は繋がっており、図２に示す通り、第二罐体口22から若干の加熱体200を罐体内部23内に入れるのであるが、その加熱体200の形態には制限を設けず、本考案においては、加熱後の木炭、アルコールコットン、鉄砂、雨花石を例としており、その他同様の効果を持つ加熱体も本考案の範疇に含まれるものとする。加熱体200の熱量が第二罐体20に伝わり、更に第二罐体20が第一罐体10に伝えることにより、第一罐体10は持続的な加熱昇温が可能となり、またその加熱体200は、第二罐体20と第一罐体10間の隔絶構造によって安全な加熱伝導昇温構造となる。
【００１２】
図３と図４に示した、本考案の二層保温抜火罐100の第一応用例および第二応用例において、図３では、第一罐体10によって人体の胸部ツボ300を吸引、図４では第一罐体10によって人体の背部ツボ400を吸引しており、第二罐体20の罐体内部23内に加熱体200を入れ、加熱体200の熱エネルギーを第二罐体20から第一罐体10に伝導することにより、第一罐体10は加熱昇温されて、胸部ツボ300もしくは背部ツボ400は加熱昇温効果を得ることができ、更に胸部ツボ300もしくは背部ツボ400は、抜火罐効果の吸引刺激を受ける以外、加熱昇温により血液循環効果を倍増する。
【００１３】
図５には、本考案の二層保温抜火罐100の第二実施例を示す。第二罐体20の第二罐体口22にフタ24を結合することにより、罐体内部23内部の加熱体200は罐体内部23内部に固定密封される故、第一罐体10で人体の手足部位を吸引する場合であっても、加熱体200の第二罐体20外への脱落がない。
【００１４】
図６には、本考案の二層保温抜火罐100の第二実施例を示し、第一罐体10と第二罐体20の形状はカップ型であり、柄30を第一罐体10外部と第二罐体20外部間に連結したものであり、使用者に手持ち操作を提供する。また、第二罐体20の罐体内部23内の加熱体200は持続して保温加熱昇温効果を達成することができる。
【００１５】
図７には、本考案の二層保温抜火罐100の第三実施例を示し、第二罐体20内に取り付けた加熱部品500の形式には制限がなく、本考案においては電熱器を例としており、これにより本考案に自分で制御可能な加熱熱源を持たせ、加熱部品500の発生する熱源を第二罐体20を経由して安全に第一罐体10に伝導され、本考案の昇温抜火罐効果を達成する。
【００１６】
以上の図１〜７に示した本考案の二層保温抜火罐に関して上記に明らかにした関連説明及び図式は、本考案の技術内容および技術手段が開示した良好な実施例の一例に過ぎず、本考案の範疇に制限を設けるものでは決してなく、よって、本考案の細部構造の修飾もしくは部品等と同等効果を持つものとの代替においては、本考案の創作精神及び範疇から離脱しないものであり、その範囲は実用新案申請範囲により基づくものとする。
【図面の簡単な説明】
【００１７】
【図１】本考案の第一実施例の立体外観構造図である。
【図２】図１の側面断面図であり、第二罐体部品の罐体内部に鉄砂の加熱体を入れた状態である。
【図３】本考案の第一応用例図である。
【図４】本考案の第二応用例図である。
【図５】本考案の第二実施例図である。
【図６】本考案の第三実施例図である。
【図７】本考案の第四実施例図である。
【符号の説明】
【００１８】
100   二層保温抜火罐
10    第一罐体
11    吸引口
12    接触部
13    把手
20    第二罐体
21    連結部
22    第二罐体口
23    罐体内部
24    フタ
30    柄
200   加熱体
300   胸部ツボ
400   背部ツボ
500   加熱部品
【図１】
0003130928.tif 000003
【図２】
0003130928.tif 000004
【図３】
0003130928.tif 000005
【図４】
0003130928.tif 000006
【図５】
0003130928.tif 000007
【図６】
0003130928.tif 000008
【図７】
0003130928.tif 000009